(57)【要約】【課題】リングのみで構成される指輪であって、簡易な構成で、デザインを多様に変化させることができる指輪を提供する。【解決手段】指輪１を、主リング１０と、主リングの両側に配される一対の副リング２０とを具備し、一対の副リングは、それぞれ両側面の一方に、主リングの側面に当接させる当接面を有している構成とする。上記構成において、主リングは、両側面にそれぞれ段差部１１を有しており、一対の副リングそれぞれの当接面は、段差部と嵌合する嵌合部２１の外周面とすることができる。【選択図】図１
0003189769.tif 000002
【実用新案登録請求の範囲】
【請求項１】
主リングと、
該主リングの両側に配される一対の副リングとを具備し、
一対の前記副リングは、それぞれ両側面の一方に、前記主リングの側面に当接させる当接面を有する
ことを特徴とする指輪。
【請求項２】
前記主リングは、両側面にそれぞれ段差部を有しており、
一対の前記副リングそれぞれの前記当接面は、前記段差部と嵌合する嵌合部の外周面である
ことを特徴とする請求項１に記載の指輪。
【請求項３】
前記段差部は、前記主リングの両側面のそれぞれで、内径側が外径側よりも窪んでおり、前記段差部に前記嵌合部が嵌合した状態で、前記主リングの一方の側面と、一対の前記副リングの一方の外側の側面とで単一面を形成していると共に、前記主リングの他方の側面と、一対の前記副リングの他方の外側の側面とで単一面を形成している
ことを特徴とする請求項２に記載の指輪。
【請求項４】
前記主リングの両側面及び一対の前記副リングの前記当接面は、平滑面である
ことを特徴とする請求項１に記載の指輪。
【考案の詳細な説明】
【技術分野】
【０００１】
本考案は、指輪に関するものである。
【背景技術】
【０００２】
かねてより、一つの指輪のデザインを多様に変化させることへの要請がある。そこで、例えば、宝石を備えた装飾体を付け替えることができる指輪が提案されている（特許文献１参照）。これは、リングを途中で分断して両端部を交差させ、その一方の端部にネジ軸を取り付けると共に、装飾体に複数のネジ孔を設けたものである。このような構成により、リングのネジ軸に螺合させる装飾体のネジ孔を、異なる位置のネジ孔に変更することにより、楕円形など方向性を有する装飾体の向きを変えることができる。或いは、リングのネジ軸に螺合するネジ孔を有する装飾体を複数備えることにより、宝石の種類や大きさの異なる別の装飾体に変更することができる。
【０００３】
しかしながら、特許文献１の指輪は、リングにネジ軸を、装飾体にネジ孔を形成するものであり、構成が複雑であった。また、リングに対して装飾体を着脱するものであるため、リングのみで構成される指輪のデザインは、変更することができない。ここで、リングのみで構成されているのが一般的な指輪として、結婚指輪がある。従来、結婚指輪のデザインを変化させるという考え方はなかったところ、本考案者は、結婚指輪であってもデザインを多様に変化させることができれば、結婚指輪を日常的にはめている人にも新たな楽しみを提供できると考え、本考案に至ったものである。
【先行技術文献】
【特許文献】
【０００４】
【特許文献１】特開２００３−１３５１１３号公報
【考案の概要】
【考案が解決しようとする課題】
【０００５】
上記のように、本考案は、リングのみで構成される指輪であって、簡易な構成で、デザインを多様に変化させることができる指輪の提供を、課題とするものである。
【課題を解決するための手段】
【０００６】
上記の課題を解決するため、本考案にかかる指輪は、「主リングと、該主リングの両側に配される一対の副リングとを具備し、一対の前記副リングは、それぞれ両側面の一方に、前記主リングの側面に当接させる当接面を有する」ものである。
【０００７】
副リングが「主リングの側面に当接させる当接面」を有する構成としては、主リングの側面に段差部分が設けられており、その段差部分と嵌合する嵌合部分を副リングが備えており、その外周面が当接面である構成を例示することができる。また、主リングの側面に突条が設けられており、その突条と嵌合する溝を副リングが備えており、その溝の内周面が当接面である構成とすることができる。また或いは、主リングの側面に溝が設けられており、その溝と嵌合する突条を副リングが備えており、その突条の外周面が当接面である構成とすることができる。更に、主リングの側面が平滑面であり、副リングの当接面が同じく平滑面である構成とすることができる。また、主リングの側面が外側又は内側に湾曲しており、副リングの当接面が主リングの湾曲を反転させた湾曲面である構成とすることもできる。
【０００８】
本構成では、一対の副リングは、それぞれ両側面の一方に、主リングの側面に当接させる当接面を有している。従って、これらの副リングはそれぞれ主リングと別体であるものの、主リングの両側に密接させて配することにより、主リングと一体化させることができる。なお、従来の指輪は、側面が外側に湾曲しているのが一般的であるため、仮に本構成と同様に一つのリングの両側に二つのリングを配したとしても、互いに密接させることができないため、このように一体化させることはできない。
【０００９】
そして、本構成の指輪は、主リングとは別体の副リングを、主リングと一体化させて一つの指輪を構成させるものであるため、副リングを、材質や色が相違する別の副リングに交換することにより、指輪全体として異なるデザインに変化させることができる。或いは、副リングを、宝石が埋設された副リングや図柄や文字が彫り込まれた副リングなどの別の副リングに交換することにより、指輪全体として異なるデザインに変化させることができる。このように、本構成では、主リングの側面に当接させる当接面を副リングに設け、主リングと一対の副リングという三つのリングによって一つの指輪を構成させるという極めて簡易な構成によって、指輪のデザインを多様に変化させることができる。
【００１０】
なお、一対の副リングのうちの一方を別の副リングに交換することにより全体のデザインを変更することも、一対の副リングの双方を別の副リングに交換することにより全体のデザインを変更することもできる。また、主リングをそのまま使用し副リングを別のリングに交換することによりデザインを変化させる態様の他、副リングをそのまま使用し主リングを別のリングに交換することによりデザインを変化させる態様とすることもできる。
【００１１】
本考案にかかる指輪は、上記構成に加えて、「前記主リングは、両側面にそれぞれ段差部を有しており、一対の前記副リングそれぞれの前記当接面は、前記段差部と嵌合する嵌合部の外周面である」ものとすることができる。
【００１２】
本構成では、主リングの側面の段差部と嵌合する副リングの嵌合部の外周面が、副リングの当接面であるため、主リングの段差部を構成する複数の面に対応して、副リングの当接面も複数存在する。これにより、一対の副リングがより強固に主リングと一体化するため、指輪の使用中に副リングが主リングから離れるおそれが低減されている。
【００１３】
本考案にかかる指輪は、上記構成に加えて、「前記段差部は、前記主リングの両側面のそれぞれで、内径側が外径側よりも窪んでおり、前記段差部に前記嵌合部が嵌合した状態で、前記主リングの一方の側面と、一対の前記副リングの一方の外側の側面とで単一面を形成していると共に、前記主リングの他方の側面と、一対の前記副リングの他方の外側の側面とで単一面を形成している」ものとすることができる。
【００１４】
本構成では、主リングの段差部に副リングの嵌合部を嵌合させた状態で、主リングの側面から副リングが突出しない。そのため、副リングを主リングと一体化させた状態の指輪を外径側から見たときは主リングのみが見え、副リングは側方からしか見えない。従って、本構成の指輪は、副リングの材質や色などが主リングと異なっていても、それが目立ちにくい控え目なデザインである。また、一対の副リングを材質や色などの異なるものに交換しても、その変化が目立ちにくいため、指輪全体のデザインをさりげなく変更することができる。
【００１５】
本考案にかかる指輪は、上記構成において、「前記主リングの両側面及び一対の前記副リングの前記当接面は、平滑面である」ものとすることができる。
【００１６】
本構成では、主リングの両側面が平滑面であり、これに当接させる副リングの当接面も平滑面である。これにより、主リングと副リングが、平滑面同士の当接によってしっかりと一体化する。すなわち、当接面としては非常に簡易な構成でありながら、副リングを主リングに密接させて一体化することができる。なお、従来の指輪に、側面が平滑面であるものはなく、リングの側面を平滑面として複数のリングを一体化するという本考案のアイデアは、非常に斬新なものである。
【考案の効果】
【００１７】
以上のように、本考案の効果として、リングのみで構成される指輪であって、簡易な構成で、デザインを多様に変化させることができる指輪を、提供することができる。
【図面の簡単な説明】
【００１８】
【図１】本考案の第一実施形態である指輪の（ａ）斜視図、（ｂ）分解斜視図、及び、（ｃ）部分断面図である。
【図２】本考案の第二実施形態である指輪の（ａ）斜視図、（ｂ）分解斜視図、及び、（ｃ）部分断面図である。
【図３】本考案の第三実施形態である指輪の（ａ）斜視図、（ｂ）分解斜視図、（ｃ）側面図、及び、（ｄ）部分断面図である。
【図４】本考案の第一実施形態である指輪の（ａ）斜視図、（ｂ）分解斜視図、及び、（ｃ）部分断面図である。
【図５】（ａ）図１の指輪の変形例の部分断面図、（ｂ）図２の指輪の変形例の部分断面図である。
【考案を実施するための形態】
【００１９】
以下、本考案の具体的な実施形態である指輪１〜４について、図１〜図４を用いて説明する。
【００２０】
まず、第一実施形態の指輪１について、図１を用いて説明する。指輪１は、主リング１０と、主リング１０の両側に配される一対の副リング２０とを具備し、一対の副リング２０は、それぞれ両側面の一方に、主リング１０の側面に当接させる当接面を有している。また、上記構成において、主リング１０は、両側面にそれぞれ段差部１１を有しており、一対の副リング２０それぞれの当接面は、段差部１１と嵌合する嵌合部２１の外周面である。
【００２１】
より詳細に説明すると、主リング１０は、外径側の周面が外方に向かって凸となるように滑らかに湾曲した曲面である。主リング１０の両側面に形成された段差部１１は、それぞれ内径側が外径側より窪んでおり、主リング１０の断面は略Ｔ字形を呈している。このような段差部１１は、外径側に最外側面１２を、内径側に最内側面１３を有すると共に、外側面１２と最内側面１３とを連結する段差面１４を有している。
【００２２】
一方、一対の副リング２０は、それぞれ断面の外形が略四角形であり、幅（一対の側面間の距離）方向の略半分が主リング１０の段差部１１に内嵌する。すなわち、一対の副リング２０では、それぞれ幅方向における内側（主リング１０側）の略半分が嵌合部２１を構成している。従って、嵌合部２１の外周面である当接面は、主リング１０の最内側面１３に当接する第一当接面２２と、段差面１４に当接する第二当接面２３によって形成されている。本構成の指輪１は、一対の副リング２０それぞれの嵌合部を主リング１０の段差部１１と嵌合させることにより、一対の副リング２０を主リング１０と一体化させることができ、その状態で、主リング１０の最外側面１２から副リング２０が外側に突出する。そのため指輪１を外径側から見ても側方から見ても、副リング２０が視認される。
【００２３】
上記構成の指輪１は、副リング２０を、材質や色が相違する別の副リング２０に交換することにより、指輪全体として異なるデザインに変化させることができる。例えば、主リング１０と一対の副リング２０の全てが、プラチナなど同一材料で同一色である状態から、副リング２０を、金など色の相違する材料で形成された別の副リング２０に交換することにより、全体として印象の異なるデザインの指輪１に変化させることができる。このとき、一対の副リング２０は、同一材料で同一色のリングとすることも、材料及び色の少なくとも一方が相違するリングとすることもできる。例えば、プラチナの主リング１０に対し、一対の副リング２０の一方をピンクゴールドとし、他方をイエローゴールドとすることができる。また、例えば、主リング１０と一対の副リング２０の全てが無地のリングである状態から、副リング２０の少なくとも一方を、宝石が埋設された別の副リング２０や、地模様、図柄、文字等が彫り込まれた別の副リング２０に交換することにより、全体として印象の異なるデザインの指輪１に変化させることができる。また、例えば、主リング１０と一対の副リング２０の全てが、同一の種類の宝石が埋設されたリングである状態から、副リング２０の少なくとも一方を、異なる種類の宝石が埋設された別の副リング２０に交換することにより、全体として印象の異なるデザインの指輪１に変化させることができる。
【００２４】
次に、本考案の第二実施形態である指輪２について、図２を用いて説明する。第二実施形態の指輪２は、第一実施形態の指輪１と近似した構成の主リング１０ｂと一対の副リング２０ｂとを具備しており、主リング１０ｂの段差部１１ｂは、最外側面１２ｂ、最内側面１３ｂ、及び段差面１４ｂを有し、副リング２０ｂの嵌合部２１ｂの外周面である当接面は、第一当接面２２ｂと第二当接面２３ｂによって形成されている。
【００２５】
指輪２が指輪１と相違する点は、段差部１１ｂに嵌合部２１ｂが嵌合した状態で、主リング１０ｂの一方の最外側面１２ｂと、一対の副リング２０ｂの一方の外側の側面２７ｂとで単一面を形成していると共に、主リング１０ｂの他方の最外側面１２ｂと、一対の副リング２０ｂの他方の外側の側面２７ｂとで単一面を形成している点である。つまり、指輪２では、副リング２０ｂの幅が段差面１４ｂの幅と同一である。このような構成の指輪２では、主リング１０ｂの段差部１１ｂに副リング２０ｂの嵌合部２１ｂを嵌合させた状態で、主リング１０ｂの側面から副リング２０ｂが突出しない。
【００２６】
本構成の指輪２によっても、第一実施形態の指輪１と同様に、少なくとも一方の副リング２０ｂを別の副リング２０ｂに交換することにより、上記と同様の作用効果を得ることができる。
【００２７】
ただし、本構成の指輪２では、副リング２０ｂを主リング１０ｂと一体化させた状態で、副リング２０ｂは側方からしか見えないため、副リング２０ｂの材質や色などが主リング１０ｂと異なっていても、それが目立ちにくい控え目なデザインである。また、一対の副リング２０ｂを材質や色などの異なる別の副リング２０ｂに交換しても、その変化が目立ちにくいため、指輪全体のデザインをさりげなく変更することができる。そのため、例えば、本考案の指輪を結婚指輪として使用する場合、第一実施形態の指輪１を女性用として、副リング２０の存在や副リング２０の交換によるデザインの変更が目立ち易い華やかな指輪とする一方、第二実施形態の指輪２を男性用として、副リング２０ｂの存在や副リング２０ｂの交換によるデザインの変更が目立ちにくい控え目な指輪としながら、主リング１０，１０ｂのデザインを共通とすることにより、ペアの指輪としての統一感を持たせることができる。
【００２８】
また、古来より日本には、着物の裏地に大胆な図柄を配するなど、見えにくいところのデザインに工夫を施すことを
“粋”と考える風潮がある。第二実施形態の指輪２は、このような我が国に古くからある考え方にも沿うデザインである。
【００２９】
次に、第三実施形態の指輪３について、図３を用いて説明する。第三実施形態の指輪３は、主リング１０ｃが両側面にそれぞれ段差部１１ｃを有する点、一対の副リング２０ｃそれぞれの当接面が、主リングの段差部１１ｃと嵌合する嵌合部２１ｃの外周面である点で、第一実施形態の指輪１と共通するが、段差部１１ｃの形状（すなわち、主リング１０ｃの外形）、及び、嵌合部２１ｃの形状（すなわち、副リング２０ｃの外形）において、指輪１と相違している。
【００３０】
より詳細に説明すると、主リング１０ｃの両側面に形成された段差部１１ｃは、それぞれ外径側が内径側より窪んでおり、主リング１０ｃの断面は略Ｔ字形を呈している。このような段差部１１ｃは、外径側に最内側面１３ｃを、内径側に最外側面１２ｃを有すると共に、最内側面１３ｃと最外側面１２ｃを連結する段差面１４ｃを有している。
【００３１】
一方、一対の副リング２０ｃは、それぞれ断面の外形が略Ｌ字形であり、全体的に主リング１０ｃの段差部１１ｃに外嵌する。すなわち、一対の副リング２０ｃでは、それぞれ幅方向における内側（主リング１０ｃ側）の部分が嵌合部２１ｃを構成している。従って、嵌合部２１ｃの外周面である当接面は、最内側面１３ｃに当接する第一当接面２２ｃと、最外側面１２ｃに当接する第二当接面２３ｃと、段差面１４ｃに当接する第三当接面２４ｃによって形成されている。本構成の指輪３は、一対の副リング２０ｃそれぞれの嵌合部２１ｃを主リング１０ｃの段差部１１ｃと嵌合させることにより、一対の副リング２０ｃを主リング１０ｃと一体化させることができ、その状態で、主リング１０ｃの側面の殆どの部分を副リング２０ｃが覆っている。これにより、指輪１とは異なり、側方からは主リング１０ｃは殆ど見えず、一対の副リング２０ｃが主に視認される。
【００３２】
本構成の指輪３によっても、第一実施形態の指輪１と同様に、少なくとも一方の副リング２０ｃを別の副リング２０ｃに交換することにより、上記と同様の作用効果を得ることができる。
【００３３】
次に、本考案の第四実施形態である指輪４について、図４を用いて説明する。第四実施形態の指輪４は、一対の副リング２０ｄが、それぞれ両側面の一方に主リング１０ｄの側面に当接させる当接面を有する点で、第一実施形態の指輪１〜第三実施形態の指輪３と共通するが、主リング１０ｄが段差部を備えておらず両側面１５ｄが平滑面であり、一対の副リング２０の当接面も平滑面である点で相違している。
【００３４】
より詳細に説明すると、主リング１０ｄは、外径側の周面が凹状に滑らかに湾曲した曲面である。一方、一対の副リング２０ｄは、それぞれ断面の外形が略四角形であり、外径側かつ外側の角部が丸みを帯びている。そして、一対の副リング２０ｄそれぞれにおいて、内側の側面２５ｄは平滑面である。すなわち、一対の副リング２０ｄそれぞれにおいて、内側の側面２５ｄの全体が当接面である。本構成の指輪４では、主リング１０ｄの両側面１５ｄに一対の副リング２０ｄそれぞれの内側の側面２５ｄ（当接面）を当接させることにより、平滑面同士がぴったりと重なり、一対の副リング２０ｄを主リング１０ｄと一体化させることができる。
【００３５】
本構成の指輪４によっても、第一実施形態の指輪１と同様に、少なくとも一方の副リング２０ｄを別の副リング２０ｄに交換することにより、上記と同様の作用効果を得ることができる。
【００３６】
上記のように、第一実施形態の指輪１〜第四実施形態の指輪４によれば、指輪自体を別の指輪に取り替えることなく、一部の構成である副リングを別の副リングに交換することにより、簡易に、指輪全体として異なるデザインに変化させることができる。
【００３７】
これにより、例えば指輪１〜指輪４を結婚指輪とした場合、日常的に結婚指輪を指にはめておくことができると共に、異なるデザインに変化させて楽しむことができる。
【００３８】
また、副リングとして、材質、色、宝石の埋設の有無、埋設された宝石の種類、地模様・図柄・文字等の彫刻の有無やその種類など、が相違する複数の副リングを備えることにより、簡易に、指輪のデザインを多様に変化させることができる。また、本実施形態の指輪は副リングを一対備えるため、副リングを複数有する場合に、その組み合わせは多数存在する。そのため、指輪自体を複数所有する場合に比べて、よりバリエーションに富んだデザインを楽しむことができる。また、異なる副リングの組み合わせに、夫婦など当事者のみが分かる意味を持たせることにより、指輪を指にはめているだけで相手にメッセージを伝えるというような使い方をすることもできる。
【００３９】
更に、第一実施形態の指輪１〜第三実施形態の指輪３は、主リングが段差部を有し、段差部に嵌合する嵌合部を副リングが有していることにより、副リングが主リングと強固に一体化する利点を有している。一方、第四実施形態の指輪４は、主リング１０ｄと副リング２０ｄとが平滑面同士で当接するという極めて簡易な構成でありながら、副リング２０ｄを主リング１０ｄと一体化させることができる。また、第二実施形態の指輪２は、副リング２０ｂが側方からのみ視認できるため、副リング２０ｂの存在や副リング２０ｂの変更によるデザインの変化を、さりげないものとすることができる。
【００４０】
以上、本考案について好適な実施形態を挙げて説明したが、本考案は上記の実施形態に限定されるものではなく、以下に示すように、本考案の要旨を逸脱しない範囲において、種々の改良及び設計の変更が可能である。
【００４１】
例えば、第一実施形態の指輪１の変形例として、図５（ａ）に示す指輪５のように、主リング１０ｅの段差部の最内側面１３ｅから、内径側で突条１６ｅが突出している一方、副リング２０ｅの嵌合部において最内側面１３ｅに当接する第一当接面２２ｅに、突条１６ｅを内嵌させる溝２６ｅが形成されている構成の指輪とすることができる。
【００４２】
また、第二実施形態の指輪２に対しても上記と同様な変形が可能である。すなわち、図５（ｂ）に示す指輪６のように、主リング１０ｆの段差部の最内側面１３ｆから、内径側で突条１６ｆが突出している一方、副リング２０ｆの嵌合部において最内側面１３ｆに当接する第一当接面２２ｆに、突条１６ｆを内嵌させる溝２６ｆが形成されている構成の指輪とすることができる。
【００４３】
上記の構成とすることにより、指輪５及び指輪６では、段差部と嵌合部とがより強固に嵌め合わされるため、副リングを主リングに、より強固に一体化させることができる。
【符号の説明】
【００４４】
１，２，３，４，５，６  指輪
１０，１０ｂ，１０ｃ，１０ｄ，１０ｅ，１０ｆ  主リング
１１，１１ｂ，１１ｃ  段差部
２０，２０ｂ，２０ｃ，２０ｄ，２０ｅ，２０ｆ  副リング
２１，２１ｂ，２１ｃ  嵌合部
２２，２２ｂ，２２ｃ  第一当接面（当接面）
２３，２３ｂ，２３ｃ  第二当接面（当接面）
２４ｃ  第三当接面（当接面）
【図１】
0003189769.tif 000003
【図２】
0003189769.tif 000004
【図３】
0003189769.tif 000005
【図４】
0003189769.tif 000006
【図５】
0003189769.tif 000007